(57)【要約】【課題】    化粧品容器の操作方法が極めて便利であり、瓶体内の顔料の漏出を規制できて、且つ蓋体の回転操作が容易となる化粧品容器の構造を提供すること。【解決手段】    ブラシ２の延長部２２と毛の束２１との間には、瓶体１の上端に当接して位置決めできるストップ凸縁２２２が設けてあり、延長部２２には螺旋段２２１が設けてあり、且つ延長部２２の上端には止めブロック２４が取り付けてあり、蓋体３は、ブラシ２の延長部２２に応じて、周縁を持つ段階付き貫通孔３２が設けてあり、ブラシ２の止めブロック２４が前記周縁に当接し制限され、段階付き貫通孔３２には、ブラシ２の延長段２２の螺旋段２２１と螺合する第二螺旋段３３が設けてあることを特徴とする化粧品容器の構造。【選択図】図１
0003102330.tif 000002
【実用新案登録請求の範囲】
【請求項１】
開口端には螺旋段を有する瓶体と、前記瓶体の開口に定位され、テーパ部を有する制限ブシュと、前記瓶体の螺旋段の螺旋方向と対応する第一螺旋段が設けてあり、前記瓶体の回転方向により螺着し又は取り出すことができる蓋体と、下方には瓶体内に収納できる毛の束が設けてあり、上方には延長部が形成してあるブラシと、を含む化粧品容器の構造において、
前記ブラシの延長部と前記毛の束との間には、前記瓶体の上端に当接し定位できるストップ凸縁が設けてあり、
前記延長部には螺旋段が設けてあり、且つ前記延長部の上端には止めブロックが取り付けてあり、
前記蓋体は、前記ブラシの延長部に応じて、周縁を持つ段階付き貫通孔が設けてあり、
前記ブラシの止めブロックが前記周縁に当接し制限され、
前記段階付き貫通孔には、前記ブラシの延長段の螺旋段と螺合する第二螺旋段が設けてあることを特徴とする、
化粧品容器の構造。
【請求項２】
前記蓋体の周縁に上歯部を設けると共に、前記ブラシの止めブロックの前記上歯部に応じる箇所に、前記上歯部と噛合い位置決めするための下歯部を設けることを特徴とする、請求項１に記載の化粧品容器の構造。
【請求項３】
前記ブラシにある止めブロックは、螺着素子により前記ブラシと一体化したことを特徴とする、請求項１に記載の化粧品容器の構造。
【請求項４】
前記蓋体は、上蓋と合い密封状態にするために、カバー段階付き貫通孔の上端に窪み部を形成することを特徴とする、請求項１に記載の化粧品容器の構造。
【請求項５】
前記窪み部には環状溝が設けると共に、前記上蓋は、前記蓋体にある窪み部と緊密に固定し位置決めするために、前記環状溝に応じる箇所には突出部を設けてもよいことを特徴とする、請求項４に記載の化粧品容器の構造。
【考案の詳細な説明】
【技術分野】
【０００１】
この考案は化粧品容器の構造に係り、特に蓋体と、ブラシと、瓶体とから構成され、蓋体が瓶体へ、時計方向に回転して入れる、又は反時計方向に回転して出すと同時に、前記蓋体もブラシに対して上下に移動し、且つ前記ブラシが前記蓋体から離脱できない化粧品容器の構造に関する。
【背景技術】
【０００２】
各顔色の顔料を上手く合わせて化粧すると、顔が綺麗になると共に、他人に対しても尊重の意を表す。
一般の化粧品は、顔料の他に、前記顔料を収容するための容器と、前記顔料を使用するための補助道具が必要であり、そうすると、使用者が始めて化粧品を利用して化粧することができる。
消費者の品質意識がどんどん強くなる現在では、消費者が顔料の色彩を要求するだけでなく、顔料を収容するための容器の収納便利性及び操作性も非常に重視している。
【０００３】
しかしながら、従来の化粧品容器の一例（例えば、細かい粉末状態の顔料を収容）としては、図５と図６に示すように、瓶体４と、蓋体５と、ブラシ６とを含み、前記瓶体４は、必要な顔料を収容し、その開口端には螺旋段４１が設けてあり、且つその開口の内側にはテーパ部４２１を有する制限ブシュ４２が設けてある。前記蓋体５は、前記瓶体４の開口端にある螺旋段４１の対応箇所には、前記螺旋段４１と螺合するための螺旋段５１が設けてある。前記ブラシ６は、使用しないときに下方にあるブラシの毛６１を瓶体４のなかに収容し、使用するときに上方にある延長段６２を握って使用する。
【考案の開示】
【考案が解決しようとする課題】
【０００４】
従来の化粧品容器には次のような欠点があった。
（１）従来の化粧品容器で使用されるブラシ６は瓶体４の内部に収容されて蓋体５で保持されるため、化粧するときには、前記蓋体５を先に取り外して別の処に置いた後、ブラシ６の上方にある延長段６２を手で握って、瓶体４内に収容されたブラシ６を取り出して使用し、使用が終わった後は、制限ブシュ４２に形成したテーパ部４２１にブラシ６の毛６１を挿入した後、瓶体４の開口端に蓋体５を締め付けている。そのため従来の化粧品容器はその使用が極めて複雑であり、且つ取り外した蓋体５の紛失がよくあった。
【０００５】
（２）従来の化粧品容器で使用されるブラシ６は独立したものである。
前記蓋体５を開けてブラシ６の取り出しを便利にするためには、前記ブラシ６と蓋体５との結合を緊密にすることができない。そのため、従来の化粧品容器は包装時、運搬時や携帯時に軽く当たられると、瓶体４内の顔料（例えば、軽くて細かい粉末）が、制限ブシュ４２とブラシ６との間にある隙間から浮き上がり、ブラシ６の上端と、瓶体４の開口端縁と、蓋体５の内側とに残留し、前記蓋体５を開けている間に、残留した顔料が漏れ出し、化粧品容器を握る手や衣服を汚すだけでなく、周囲の環境も汚染する。
このように従来の化粧品容器は、顔料が無駄になることの他に、顔料で汚れた箇所の後処理も非常に面倒であるという問題があった。
【０００６】
この考案の目的は、蓋体を開けているときに、ブラシも一緒に取り出されることにより、ブラシの操作が便利になる化粧品容器の構造を提供することにある。
【課題を解決するための手段】
【０００７】
上記課題を解決するためになされた本願の考案は、開口端には螺旋段を有する瓶体と、前記瓶体の開口に定位され、テーパ部を有する制限ブシュと、前記瓶体の螺旋段の螺旋方向と対応する第一螺旋段が設けてあり、前記瓶体の回転方向により螺着し又は取り出すことができる蓋体と、下方には瓶体内に収納できる毛の束が設けてあり、上方には延長部が形成してあるブラシと、を含む化粧品容器の構造において、前記ブラシの延長部と前記毛の束との間には、前記瓶体の上端に当接し定位できるストップ凸縁が設けてあり、前記延長部には螺旋段が設けてあり、且つ前記延長部の上端には止めブロックが取り付けてあり、前記蓋体は、前記ブラシの延長部に応じて、周縁を持つ段階付き貫通孔が設けてあり、前記ブラシの止めブロックが前記周縁に当接し制限され、前記段階付き貫通孔には、前記ブラシの延長段の螺旋段と螺合する第二螺旋段が設けてあることを特徴とする化粧品容器の構造であることを要旨としている。
【０００８】
本願の考案では、前記蓋体の周縁に上歯部を設けてもよく、前記ブラシの止めブロックの前記上歯部に応じる箇所には、前記上歯部と噛合い位置決めするための下歯部が設けてあることを特徴とする請求項１に記載の化粧品容器の構造であることを要旨としている。
【０００９】
本願の考案では、前記ブラシにある止めブロックは、螺着素子により前記ブラシと一体化にしたことを特徴とする請求項１に記載の化粧品容器の構造であることを要旨としている。
【００１０】
本願の考案では、前記蓋体は、上蓋と合い密封状態にするために、カバー段階付き貫通孔の上端に窪み部を形成したことを特徴とする請求項１に記載の化粧品容器の構造であることを要旨としている。
【００１１】
本願の考案では、前記窪み部には環状溝が設けると共に、前記上蓋は、前記蓋体にある窪み部と緊密に固定し位置決めするために、前記環状溝に応じる箇所には突出部を設けたことを特徴とする請求項４に記載の化粧品容器の構造であることを要旨としている。
【考案の効果】
【００１２】
この考案に係る化粧品容器の構造によれば、次のような効果がある。
（１）ブラシ２と蓋体３とは離脱できないように結合してあるため、蓋体３を瓶体１に締め付けて取り付け、又は取り外して離脱させて化粧をするにも係らずに、化粧品容器の操作方法が極めて便利である。
【００１３】
（２）蓋体３を瓶体１に締め付けて一体にしたときに、ブラシ２に設けたストップ凸縁２２２が瓶体１の上端と緊密に当接するので、瓶体１内の顔料の漏出がない。
【００１４】
（３）ブラシ２に設けたストップ凸縁２２２は、蓋体３を瓶体１に締め付けて結合するときに、瓶体１の上端に当接し圧力を加えるので、蓋体３の回転操作が容易になる。
【考案を実施するための最良の形態】
【００１５】
以下、添付図面を参照して本考案の好適な実施の形態を詳細に説明する。
【００１６】
まず、図１乃至図３を参照する。この考案に係る化粧品容器の構造は、瓶体１と、ブラシ２と、蓋体３とから構成される。
【００１７】
前記瓶体１は、顔料が内部に収容され、開口端には螺旋段１１が設けてあり、且つ開口の内側には制限ブシュ１２が設けてあり、前記制限ブシュ１２には、テーパ部１２１が設けてあり、且つその上端には当接凸縁１２２が設けてある。前記制限ブシュ１２を瓶体１の開口端に入れるときに、前記当接凸縁１２２は瓶体１の上端面と当接する。
【００１８】
前記ブラシ２は、下方には瓶体１内に収容できる毛の束２１を有し、上方には延長部２２を有し、前記延長部２２には、瓶体１にある螺旋段１１と螺合するための螺旋段２２１が設けてあり、なお、毛の束２１と延長部２２との間には瓶体１の上端面（即ち、制限ブシュ１２の上端面）に当接し位置決めするストップ凸縁２２２が設けてあり、また、その延長段２２の上端面には接合穴２２３が開けてあり、螺着素子２３により、止めブロック２４が前記ブラシ２と結合する。
【００１９】
前記蓋体３は、前記瓶体１の螺旋段１１の螺旋方向と対応する第一螺旋段３１が設けてあるので、前記瓶体１の回転方向により螺着し又は取り外すことができる。蓋体３は、ブラシ２の延長部２２に応じて、周縁３２０を持つ段階付き貫通孔３２が設けてある。前記段階付き貫通孔３２にはブラシ２の延長部２２に設けた螺旋段２２１の螺旋方向に対応した第二螺旋段３３が設けてある。蓋体３と瓶体１とを互いに時計方向又は反時計方向に回転するときに、ブラシ２に設けた止めブロック２４が段階付き貫通孔３２に設けた周縁３２０に当接して移動範囲が制限される。
【００２０】
また、前記蓋体３の段階付き貫通孔３２の上端に窪み部３２１が形成され、上蓋３４が前記窪み部３２１と密封に結合することができる。なお、前記窪み部３２１の周壁に環状溝３２２を設けたり、前記上蓋３４に前記環状溝３２２に応じて突出部３４１を設けたりすると、前記上蓋３４と蓋体３との結合がもっと緊密になる。
【００２１】
また、前記段階付き貫通孔３２と第二螺旋段３３との境界にある周縁３２０に上歯部３２３を設けると共に、前記止めブロック２４の下に前記上歯部３２３と嵌合するための下歯部２４１を設けてもよい。そうすると、前記蓋体３が上へ回転するときに、ブラシ２にある止めブロック２４の下歯部２４１が下へ移動して前記上歯部３２３と噛合うので、化粧するときのブラシ２の揺れを防止することができる。
【００２２】
上記したように、本考案に係る化粧品容器は、ブラシ２と蓋体３とが離脱できない構造になっていて、前記蓋体３を瓶体１に締め付けて結合するときには、ブラシ２にある毛の束２１を瓶体１の内へ先に入れて、蓋体３の下方を瓶体１の上端に合い、このときに、ブラシ２のストップ凸縁２２２も瓶体１の制限ブシュ１２の上端面に当接し圧力を加え、次に、蓋体３を時計方向に回転すると同時に、第二螺旋段３３は、蓋体３と瓶体１とが密着するまでに、ブラシ２の螺旋段２２１に沿って回転しながら下へ移動する。そうすると、瓶体１内に収容される顔料が漏れ出すことがあり得ない。
【００２３】
また、蓋体３を瓶体１から緩めて取り出すときには、蓋体３を反時計方向に回転すると同時に、第二螺旋段３３は、蓋体３の底端が瓶体１の制限ブシュ１２の上端面から離脱するまでに、ブラシ２の螺旋段２２１に沿って回転しながら上へ移動し、このときに、ブラシ２の止めブロック２４に設ける下歯部２４１はちょうど蓋体３の周縁３２０に設けた上歯部３２３と噛合い、また、蓋体３を上へ引き出すことにより、ブラシ３にある毛の束３１が瓶体１から離脱し、そうすると、蓋体３を操縦することにより、ブラシ３を瓶体１内に収容された顔料に付けて化粧をすることができる。
【図面の簡単な説明】
【００２４】
【図１】この考案に係る化粧品容器の構造を示す分解斜視図である。
【図２】この考案に係る化粧品容器の組立てた状態を示す断面図である。
【図３】この考案に係る化粧品容器の作動を示す断面図である。
【図４】この考案に係る化粧品容器の使用方法を説明するための概略図である。
【図５】従来の化粧品容器の構造を示す斜視断面図である。
【図６】従来の化粧品容器の組立てた状態を示す断面図である。
【符号の説明】
【００２５】
１          瓶体
１１        螺旋段
１２        制限ブシュ
１２１      テーパ部
１２２      当接凸縁
２          ブラシ
２１        毛の束
２２        延長部
２２１      螺旋段
２２２      ストップ凸縁
２２３      接合穴
２３        螺着素子
２４        止めブロック
２４１      下歯部
３          蓋体
３１        第一螺旋段
３２        段階付き貫通孔
３２０      周縁
３２１      窪み部
３２２      環状溝
３２３      上歯部
３３        第二螺旋段
３４        上蓋
３４１      突出部
４          瓶体
４１        螺旋段
４２        制限ブシュ
４２１      テーパ部
５          蓋体
５１        螺旋段
６          ブラシ
６１        ブラシの毛
６２        延長段
【図１】
0003102330.tif 000003
【図２】
0003102330.tif 000004
【図３】
0003102330.tif 000005
【図４】
0003102330.tif 000006
【図５】
0003102330.tif 000007
【図６】
0003102330.tif 000008